(57)【特許請求の範囲】
【請求項１】
複数の医用画像を保管する保管手段と、
前記保管手段に保管され、レポート作成手段によって作成された医用レポートにリンクされ、当該医用レポートに画像リンク情報が記述された医用画像に削除防止情報を付帯させる削除防止情報付帯手段と、
前記削除防止情報が付帯されていない医用画像を前記保管手段から削除し、前記削除防止情報が付帯されている医用画像の削除を中止する削除手段と、
を備えることを特徴とする画像管理システム。
【請求項２】
前記保管手段に保管される医用画像のレコードを記憶する記憶手段を更に備え、
前記削除防止情報付帯手段は、
前記画像リンク情報に対応する医用画像のレコードに含まれる画像格納位置情報に対応する前記記憶手段の格納位置に記憶された医用画像に削除防止情報を付帯させることを特徴とする請求項１記載の画像管理システム。
【請求項３】
前記医用画像は、シリーズ属性、検査属性および患者属性を属性情報として有し、これら属性情報のうちの少なくともいずれか一つが前記画像リンク情報に含まれていることを特徴とする請求項２記載の画像管理システム。
【請求項４】
前記画像リンク情報は、前記シリーズ属性、前記検査属性および前記患者属性、または前記検査属性および前記患者属性、または前記患者属性のうちのいずれか一組であることを特徴とする請求項３記載の画像管理システム。
【請求項５】
複数の医用画像を保管する保管手段を有する画像記憶装置と画像管理サーバとがネットワークを介して接続される画像管理システムにおいて、
前記画像管理サーバは、
前記保管手段に保管される医用画像のレコードを記憶する記憶手段と、
を備え、
前記画像記憶装置は、
レポート作成手段によって作成された医用レポートにリンクされ、当該医用レポートに記述された画像リンク情報に対応する医用画像のレコードに含まれる画像格納位置情報に対応する前記記憶手段の格納位置に記憶された医用画像に削除防止情報を付帯させる削除防止情報付帯手段と、
を備えることを特徴とする画像管理システム。
【請求項６】
複数の医用画像を保管する保管手段と、
レポート作成手段によって作成された医用レポートにリンクされ、当該医用レポートに記述された画像リンク情報に対応する医用画像に削除防止情報を付帯させる削除防止情報付帯手段と、
前記削除防止情報が付帯されていない医用画像を前記保管手段から削除し、前記削除防止情報が付帯されている医用画像の削除を中止する削除手段と、
を備える画像記憶装置。
【請求項７】
前記削除防止情報付帯手段は、
記憶手段により記憶された前記医用画像のレコードに含まれる画像格納位置情報に対応する前記記憶手段の格納位置に記憶された医用画像に削除防止情報を付帯させることを特徴とする請求項６記載の画像記憶装置。
【発明の詳細な説明】
【技術分野】
【０００１】
本発明は、医用画像を管理する画像管理技術において、特にレポートにリンクされた医用画像の削除を防止する技術に関する。
【背景技術】
【０００２】
近年、近年病院内のシステム化が進み、院内で様々なシステムが稼働する様になってきた。例えば、画像管理システム（ＰＡＣＳ）や放射線情報システム（ＲＩＳ）がネットワークに接続され、ネットワーク上のクライアント端末を用いて、これら医用画像保存装置や放射線情報システムと通信を行い、医用画像、検査状況情報、又は検査オーダー情報を送受信している。
【０００３】
画像管理システムは、医用画像を作成するモダリティから受信した医用画像を管理するシステムであり、作成された医用画像をネットワークを介してクライアント端末上で表示できるように医用画像を保管する。
【０００４】
この画像管理システムにおいて、医用画像のフィルムレス化が進み、画像管理システムが管理しなくてはならない医用画像が急増している。システムに医用画像を保管しておく画像記憶装置を増設することである程度の対処は可能であるが、医用画像の増加スピードが増設スピードを上回る場合は限界が生じる。
【０００５】
そこで、新たに発生する医用画像の記憶領域を確保するために、参照される可能性の低くなった医用画像を削除する技術が提案された（例えば、特許文献１参照）。特許文献１では、患者の遷移情報などから参照可能性の低い医用画像を検索し、当該検索により該当する医用画像を削除する。
【０００６】
ところで、画像管理システムは、保管された医用画像を読影して医用レポートを作成するレポート作成装置を備える場合がある。このような画像管理システムでは、レポート作成装置が作成した医用レポートに画像管理システムに保管された医用画像のリンク付けが記述される。医用レポートの閲覧時に画像管理システムからリンク付けされた医用画像を取得する（例えば、特許文献２参照）。
【先行技術文献】
【特許文献】
【０００７】
【特許文献１】特開平１０−１４３４０２号公報
【特許文献２】特開２００３−２９６４５１号公報
【発明の概要】
【発明が解決しようとする課題】
【０００８】
特許文献２のレポート作成装置を特許文献１の画像管理システムに備えた場合、医用レポートにリンク付けされた医用画像が削除されてしまうおそれがある。医用レポートとリンク付けされた医用画像が削除されてしまうと、医用レポートの根拠である医用画像が参照できず、医用レポートから重要な情報が欠落してしまう。閲覧者は、正確に医用レポートの内容を把握することができない。
【０００９】
本発明は、上記事情に鑑みてなされたものであり、その目的とするところは、医用レポートにリンク付けされた医用画像の削除を防止する技術を提供することにある。
【課題を解決するための手段】
【００１０】
上記課題を解決するために、請求項１記載の発明は、複数の医用画像を保管する保管手段と、前記保管手段に保管され、レポート作成手段によって作成された医用レポートにリンクされ、当該医用レポートに画像リンク情報が記述された医用画像に削除防止情報を付帯させる削除防止情報付帯手段と、前記削除防止情報が付帯されていない医用画像を前記保管手段から削除し、前記削除防止情報が付帯されている医用画像の削除を中止する削除手段と、を備えることを特徴とする。
【００１１】
前記保管手段に保管される医用画像のレコードを記憶する記憶手段を更に備え、前記削除防止情報付帯手段は、前記画像リンク情報に対応する医用画像のレコードに含まれる画像格納位置情報に対応する前記記憶手段の格納位置に記憶された医用画像に削除防止情報を付帯させてもよい（請求項２記載の発明に相当）。
【００１２】
前記医用画像は、シリーズ属性、検査属性および患者属性を属性情報として有し、これら属性情報のうちの少なくともいずれか一つが前記画像リンク情報に含まれていてもよい（請求項３記載の発明に相当）。
【００１３】
前記画像リンク情報は、前記シリーズ属性、前記検査属性および前記患者属性、または前記検査属性および前記患者属性、または前記患者属性のうちのいずれか一組であってもよい（請求項４記載の発明に相当）。
【００１４】
複数の医用画像を保管する保管手段を有する画像記憶装置と画像管理サーバとがネットワークを介して接続される画像管理システムにおいて、前記画像管理サーバは、前記保管手段に保管される医用画像のレコードを記憶する記憶手段と、を備え、前記画像記憶装置は、レポート作成手段によって作成された医用レポートにリンクされ、当該医用レポートに記述された画像リンク情報に対応する医用画像のレコードに含まれる画像格納位置情報に対応する前記記憶手段の格納位置に記憶された医用画像に削除防止情報を付帯させる削除防止情報付帯手段と、を備えてもよい（請求項５記載の発明に相当）。
【００１５】
複数の医用画像を保管する保管手段と、レポート作成手段によって作成された医用レポートにリンクされ、当該医用レポートに記述された画像リンク情報に対応する医用画像に削除防止情報を付帯させる削除防止情報付帯手段と、前記削除防止情報が付帯されていない医用画像を前記保管手段から削除し、前記削除防止情報が付帯されている医用画像の削除を中止する削除手段と、を備えてもよい（請求項６記載の発明に相当）。
【００１６】
前記削除防止情報付帯手段は、記憶手段により記憶された前記医用画像のレコードに含まれる画像格納位置情報に対応する前記記憶手段の格納位置に記憶された医用画像に削除防止情報を付帯させてもよい（請求項７記載の発明に相当）。
【発明の効果】
【００１７】
本発明の複数の医用画像を管理する画像管理技術によっては、所望の医用画像をリンク付けした医用レポートが作成された場合、医用レポートにリンク付けされた医用画像を削除対象から除き、医用画像の削除処理時に、削除対象から除かれておらずかつ所定の削除条件を満たす医用画像を削除する。
【００１８】
これにより、医用画像の削除時に、医用レポートにリンク付けされた医用画像が削除されてしまう事態を防止できる。従って、医用レポートから情報が欠落することがなく、正確に医用レポートの内容を伝達することができる。
【図面の簡単な説明】
【００１９】
【図１】第１の実施形態に係る画像管理システムの構成を示すブロック図である。
【図２】第１の実施形態に係るレポート作成装置の構成を示すブロック図である。
【図３】第１の実施形態に係るレポート作成装置が作成した医用レポートに埋め込まれた画像リンク情報を説明する図である。
【図４】第１の実施形態に係るレポート作成装置が取得する画像リンク情報の内容を説明する図である。
【図５】（ａ）は、第１の実施形態に係るレポート作成装置が送信する画像プロテクト命令及び画像リンク情報を説明する図であり、（ｂ）は、図３に示す医用レポートに埋め込まれた画像リンク情報に対応する医用画像単体を削除防止の除外対象とした場合の説明図であり、（ｃ）は、図３に示す医用レポートに埋め込まれた画像リンク情報に対応する医用画像が属するシリーズ全体を削除防止の除外対象とした場合の説明図である。
【図６】第１の実施形態に係るレポート作成装置の動作を示すフローチャート図である。
【図７】第１の実施形態に係る画像管理サーバの構成を示すブロック図である。
【図８】第１の実施形態に係る画像管理サーバの機能ブロック図である。
【図９】第１の実施形態に係る画像管理サーバが備える画像データベースを説明する図であり、（ａ）は、図５の（ｂ）に示す画像リンク情報が送信された場合に更新される画像データベース、（ｂ）は、図５の（ｃ）に示す画像リンク情報が送信された場合に更新される画像データベースである。
【図１０】第１の実施形態に係る画像管理サーバが送信する画像削除命令と画像格納位置情報を説明する図である。
【図１１】第１の実施形態に係る画像管理サーバで表示される削除処理開始タイミングと削除条件を設定する画面を説明する図である。
【図１２】第１の実施形態に係る画像管理サーバが画像データベースに削除防止属性を付与する動作を示すフローチャート図である。
【図１３】第１の実施形態に係る画像管理サーバの削除制御動作を示すフローチャート図である。
【図１４】第１の実施形態に係る画像管理システムの処理を示すシーケンス図である。
【図１５】第２の実施形態に係る画像管理サーバの削除防止制御動作を示すフローチャート図である。
【図１６】第２の実施形態に係る画像管理サーバの削除制御動作を示すフローチャート図である。
【図１７】第２の実施形態に係る画像記憶装置の構成を示すブロック図である。
【図１８】第２の実施形態に係る画像記憶装置に記憶される削除防止情報を付帯した医用画像を説明する図である。
【図１９】第２の実施形態に係る画像記憶装置の削除防止情報を付帯させる動作を説明するフローチャート図である。
【図２０】第２の実施形態に係る画像記憶装置の削除動作を説明するフローチャート図である。
【発明を実施するための形態】
【００２０】
以下、本発明に係る画像管理システム、画像管理サーバ、レポート作成装置の好適な実施形態について、図面を参照しながら具体的に説明する。
【００２１】
（第１の実施形態）
図１は、病院内のシステムの一部を抜き出した構成図である。図１に示すように、病院内のシステムは、ネットワークＮに、画像データベースを備える画像管理サーバ２００と、保管手段たる複数の画像記憶装置３００とが接続されている。画像管理サーバ２００と画像記憶装置３００は、通信機能を有するコンピュータを備え、ネットワークを介してデータ通信可能となっている。さらにネットワークＮに、レポート作成装置１００、及びクライアント端末４００が接続される。レポート作成装置１００、及びクライアント端末４００は、それぞれ通信機能を有するコンピュータを備え、ネットワークを介して互いにデータ通信可能となっており、また画像管理サーバ２００や複数の画像記憶装置３００とも互いにデータ通信可能となっている。
【００２２】
このシステムは、医用画像の保管及び削除を行う画像管理システム（ＰＡＣＳ）であり、また、作成された医用レポートをクライアント端末４００に取得させるシステムである。レポート作成装置１００は、医用レポートの作成において、所望の医用画像を画像管理サーバ２００及び画像記憶装置３００とデータ通信することにより取得し、医用レポートにリンク付けとして画像リンク情報を記述する。クライアント端末４００は、所望の医用レポートをレポート作成装置１００から取得し、画像リンク情報を画像管理サーバ２００に送信する。画像管理サーバ２００は、画像リンク情報を検索キーとして、画像データベースを検索し、医用画像の格納位置情報を取得し、クライアント端末４００に送信する。クライアント端末４００は、格納位置情報に対応する画像記憶装置３００と通信を行い、医用画像を取得する。
【００２３】
本実施形態においてこのシステムは、さらに、レポート作成装置１００により作成された医用レポートにリンク付けされた医用画像を削除対象から除外して、画像管理システムの削除処理から保護するシステムとなる。以下、この医用レポートにリンク付けされた医用画像を削除対象から除外して、削除処理から保護する技術について説明する。
【００２４】
図２は、レポート作成装置１００の構成図である。レポート作成装置１００は、ネットワークに接続されるワークステーション装置を備える。ワークステーション装置には、入力装置としてキーボード１６０、マウス１７０が接続され、表示装置として医用レポートモニタ１９０、参照情報モニタ１８０を備える。
【００２５】
ワークステーション装置は、処理部１１０、主記憶部１４０、送受信部１３０、入出力ＩＦ部１５０、外部記憶部１２０を備える。処理部１１０は、いわゆるＣＰＵであり、外部記憶部１２０に記憶されているプログラムに従って演算を行い、各周辺部１２０乃至１５０を制御する。主記憶部１４０は、例えば半導体メモリ等のＲＡＭであり、処理部１１０の作業領域として、プログラム、若しくは処理部１１０の演算による演算結果、又はデータが展開される。送受信部１３０は、例えばＬＡＮカードやモデム等のネットワークアダプタであり、ネットワークＮを介して他の装置とデータ通信を行う。入出力ＩＦ部１５０は、キーボード１６０やマウス１７０の入力操作に対応した指示情報を受け付け、また医用レポートモニタ１９０や参照情報モニタ１８０にモニタ表示情報を出力する。
【００２６】
外部記憶部１２０は、いわゆる光磁気ディスク（ＭＯＤ）や磁気ディスク（ＨＤＤ）であり、コンピュータをレポート作成装置１００として実現させるプログラム、及び作成された医用レポートが記憶される。尚、作成された医用レポートの記憶は、ネットワーク上に接続される他のコンピュータ、いわゆるレポートサーバの外部記憶部１２０で行ってもよい。
【００２７】
レポート作成装置１００は、処理部１１０にて外部記憶部１２０に記憶されたプログラムに従った演算を行うことで、医用レポートを作成し、作成した医用レポートを記憶する装置として機能する。また、本実施形態においては、作成した医用レポートに医用画像のリンク付けがなされている場合、リンク付けされた医用画像を削除対象から除外するために、リンク付けされた医用画像を特定する情報として画像リンク情報を画像管理サーバ２００に送信する。すなわち、レポート作成装置１００は、レポート作成手段１１１、画像リンク情報抽出手段１１２、送受信制御手段１１３を備える。
【００２８】
レポート作成手段１１１は、読影する医用画像を参照情報モニタ１８０に表示させ、医用レポートモニタ１９０に作成中の医用レポートを表示させ、装置操作者のキーボード１６０やマウス１７０等を用いた医用レポート作成操作に応じた医用レポートを作成する。医用レポートにリンク付けする医用画像があれば、リンク付けする医用画像の画像リンク情報を医用レポートに記述する。
【００２９】
画像リンク情報抽出手段１１２は、医用レポートに記述された画像リンク情報を抽出する。装置操作者がキーボード１６０やマウス１７０を用いて設定する除外設定を予め保持していれば画像リンク情報の抽出処理を行う。
【００３０】
画像リンク情報は、画像管理サーバ２００のホスト名やＩＰアドレス、医用画像ＩＤ、シリーズＩＤ、検査ＩＤ、患者ＩＤが対になった情報である。図３は、作成された医用レポートのソースである。図３に示すように、医用レポートには、リンク標識とともにこの画像リンク情報が記述される。例えば、図３に示す医用レポートでは、少なくとも画像リンク情報Ａが記述されており、画像リンク情報Ａは、画像管理サーバ２００のホスト名、医用画像ＩＤである「００００２」、シリーズＩＤである「００１」、検査ＩＤである「００２」、患者ＩＤである「００２９２」が対になって含まれている。
【００３１】
尚、シリーズとは、ＤＩＣＯＭ規格上の医用画像の最小単位グループであり、撮影した部位毎、画像発生時刻、スライス厚、造影剤の有無、Ｘ線ＣＴ装置の場合の再構成関数、所定の付帯情報が同一であるもの、Ｘ線ＣＴ装置の場合の同一寝台移動方向で撮影されたもの、医用画像ＩＤの偶数奇数、又は画像のヒストグラムによる部位判定によって分けられるグループであり、シリーズＩＤはそのように分けられたグループ名である。
【００３２】
画像リンク情報抽出手段１１２は、外部記憶部１２０に記憶されている医用レポートを主記憶部１４０に展開して記述を順次読み込む。医用レポートからリンク標識や画像管理サーバ２００のホスト名やＩＰアドレスの記述を検索し、画像リンク情報を抽出する。抽出した画像リンク情報を別途主記憶部１４０に記憶させておくことで画像リンク情報の抽出を完了する。
【００３３】
画像リンク情報の抽出は、削除処理から除外する範囲に応じて、画像リンク情報に含まれる情報の一部又は全部を抽出する。削除処理から除外する範囲は、除外設定として予め保持している。図４は、除外設定を説明する図である。画像リンク情報抽出手段１１２は、図４に示す、除外する範囲Ｂと、抽出すべき画像リンク情報の内容Ｃとを対応させた除外設定Ｄ１乃至４の何れかを予め保持している。画像リンク情報抽出手段１１２は、保持している除外設定に従い、抽出する画像リンク情報の内容に従って画像リンク情報に含まれる情報の一部又は全てを抽出する。
【００３４】
例えば、除外する範囲が医用レポートにリンク付けされた医用画像単体の場合、すなわち除外設定Ｄ１の場合には、抽出すべき画像リンク情報の内容として、医用画像ＩＤ、シリーズＩＤ、検査ＩＤ、及び患者ＩＤを抽出する。医用レポートにリンク付けされた医用画像が属するシリーズ全体を除外する範囲としている場合、すなわち除外設定Ｄ２の場合には、抽出すべき画像リンク情報の内容として、シリーズＩＤ、検査ＩＤ、患者ＩＤを抽出する。医用レポートにリンク付けされた医用画像が属する検査全体を除外する範囲としている場合、すなわち除外設定Ｄ３の場合には、抽出すべき画像リンク情報の内容として、検査ＩＤ、患者ＩＤを抽出する。医用レポートにリンクされた医用画像の撮影対象となった患者に関する医用画像の全てを除外する範囲としている場合、すなわち除外設定Ｄ４の場合には、抽出すべき画像リンク情報の内容として、患者ＩＤを抽出する。
【００３５】
送受信制御手段１１３は、送受信部１３０を制御して、他の装置とのデータ通信を制御する。画像管理サーバ２００に対して、抽出した画像リンク情報を送信する制御を行う。このとき、画像リンク情報で特定される医用画像を削除対象から除く処理を行わせる制御命令である画像プロテクト命令が生成されて、画像リンク情報とともに送信される。図５の（ａ）乃至（ｃ）は、画像管理サーバ２００へ送信する送信データのデータ構造を示す図である。図５の（ａ）乃至（ｃ）に示すように、画像プロテクト命令Ｅに画像リンク情報Ｆが付加されて送信データとなり、画像管理サーバ２００に送信される。図５の（ｂ）及び（ｃ）は、送信データの具体例であり、詳細は後述する。
【００３６】
この送信データは、画像管理サーバ２００に対して、画像リンク情報に対応する画像データベースのレコードに削除防止属性を付与することを要求する制御命令となる。
【００３７】
尚、この送受信制御手段１１３は、画像プロテクト命令と画像リンク情報を送信する制御を行うほか、読影する医用画像を取得するためにレポート作成手段１１１により生成された所望の医用画像を特定する情報を画像管理サーバ２００へ送信する制御、画像管理サーバ２００から送信された所望の医用画像の格納位置情報を受信する制御、格納位置情報に対応する格納位置にアクセスして医用画像を受診する制御を行う。
【００３８】
レポート作成装置１００の医用レポート作成及び画像リンク情報送信手順について、図６に基づき説明する。
【００３９】
図６において、まずネットワークＮを通じて医用画像に対する医用レポート作成の依頼を受けると（Ｓ１０１）、医用レポートモニタ１９０に医用レポート作成画面を表示し（Ｓ１０２）、参照情報モニタ１８０に医用レポート作成の際に参照される医用画像を表示する（Ｓ１０３）。ここで、医用レポートに記入する書誌的事項については、装置操作者のキーボード１６０やマウス１７０を用いた記入操作、記載事項の自動複写操作、予め登録されている情報の選択指定操作に従って作成される。また、参照情報モニタ１８０には、参照する医用画像として読影する医用画像のほか、参考にするコンテンツとして過去の医用レポート、過去の医用画像、履歴情報等を表示する。
【００４０】
医用レポートモニタ１９０に表示される医用レポートには所見欄が設けられており、参照している医用画像に対する所見を所見欄に記入する操作を行うことで、所見欄に入力された文字列が配列される（Ｓ１０４）。文字列が配列された状態で、参照情報モニタ１８０に表示されている医用画像、過去の医用レポート、履歴情報等を特定の文字列にリンク付けするために、まずリンク付けしようとする文字列にカーソルを合わせてリンク対応範囲を特定する（Ｓ１０５）。
【００４１】
次に参照情報モニタ１８０に表示されているコンテンツの中でリンクさせようとするコンテンツを指定するドラッグ操作入力を行う（Ｓ１０６）。そして、ドラッグ表示アイコンを表示して（Ｓ１０７）、医用レポート作成画面のリンク付け対応範囲表示部分にドロップ操作することで（Ｓ１０８）、文字列が指定されたとき、当該コンテンツのリンク情報、ドロップ操作の対象が医用画像であれば画像リンク情報をハイパーリンクの形式で張り付ける（Ｓ１０９）。同時にハイパーリンクが設定されたリンク対応範囲の文字列の色を変更しかつ下線を伏して識別表示する（Ｓ１１０）。
【００４２】
続いて、他に参照しているコンテンツをリンクさせたい文字列があるか判断し（Ｓ１１１）、リンクさせたい文字列がある場合には、（Ｓ１１１，Ｙｅｓ）、Ｓ１０５のリンク対応範囲を特定する処理に戻り、リンクさせたい文字列がない場合には（Ｓ１１１，Ｎｏ）、所見文字列の入力が終了したものとして医用レポートを保存する（Ｓ１１２）。
【００４３】
医用レポートが保存されると（Ｓ１１２）、除外設定を予め保持しているか判断する（Ｓ１１３）。除外設定がない場合（Ｓ１１３、Ｎｏ）、一連の処理は完了する。除外設定がある場合（Ｓ１１３，Ｙｅｓ）、除外設定から、抽出する画像リンク情報の内容を認識する（Ｓ１１４）。尚、予め除外設定していない場合、又は装置操作者による操作によって設定変更が要求された場合は、除外設定を施す表示画面をモニタに表示し、キーボード１６０やマウス１７０を用いた除外設定の入力を受け付けるようにしてもよい。
【００４４】
次に、保存された医用レポートの記述を順次読み込み、リンク標識や画像管理サーバ２００のホスト名やＩＰアドレスといった画像リンク情報の標識を検索する（Ｓ１１５）。医用レポートの読み込み範囲に標識がない場合は（Ｓ１１６，Ｎｏ）、医用レポートの全範囲の読み込みが終了しない限り（Ｓ１１８，Ｎｏ）、医用レポートの記述を順次読み込んでいき、読み込み範囲での標識検索（Ｓ１１５）を繰り返す。
【００４５】
該当する標識が見つかった場合（Ｓ１１６，Ｙｅｓ）、Ｓ１１４で決定した、抽出する画像リンク情報の内容に従って、画像リンク情報のうち、医用画像ＩＤ、シリーズＩＤ、検査ＩＤ、患者ＩＤの一部又は全部を抽出する（Ｓ１１７）。
【００４６】
医用レポートの全記述の読み込みが終了し（Ｓ１１８，Ｙｅｓ）、医用レポートにリンクされた全画像リンク情報が抽出されると、抽出した各画像リンク情報を引数とした画像プロテクト命令を生成する（Ｓ１１９）。
【００４７】
画像リンク情報が抽出され、画像プロテクト命令が生成されると、画像プロテクト命令及び画像リンク情報を画像管理サーバ２００へ送信し（Ｓ１２０）、一連の処理を終了する。
【００４８】
このように、レポート作成装置１００は、医用レポートが作成されると、医用レポートから画像リンク情報を抽出し、医用レポートにリンクされた医用画像を削除対象から除くために、抽出した画像リンク情報を画像管理サーバ２００へ送信する。この画像リンク情報の送信により、レポート作成装置１００は、画像管理サーバ２００に対して医用レポートにリンクされた医用画像を削除対象から除くことを要求し、かつ医用レポートにリンクされた医用画像を特定する情報を報知することとなる。
【００４９】
次に、画像管理サーバ２００について詳細に説明する。図７は、画像管理サーバ２００の構成図である。画像管理サーバ２００は、ワークステーション装置を有し、処理部２１０、主記憶部２２０、外部記憶部２３０、送受信部２４０を備える。ワークステーション装置には、マンマシンインターフェース部２５０が接続される。
【００５０】
マンマシンインターフェース部２５０は、キーボードやマウス等の入力手段と、画面を表示するモニタで構成され、装置操作者と対話を行うものである。外部記憶部２３０は、コンピュータを画像管理サーバ２００として実現させるプログラム、画像データベース、及び登録処理のために医用画像が一時的に記憶される。
【００５１】
図８は、画像管理サーバ２００の機能ブロック図である。画像管理サーバ２００は、処理部２１０により外部記憶部２３０に記憶されたプログラムに従った演算を行うことで、医用画像を登録若しくは削除し、また医用画像の格納位置をクライアント端末４００に報知する装置として機能する。尚、登録とは、一時的に外部記憶部２３０に格納した医用画像を画像記憶装置３００に送信して記憶させ、記憶させた医用画像のレコードを画像データベースに加えて更新することである。すなわち、画像管理サーバ２００は、図８に示すように、医用画像格納手段２１２と医用画像登録手段２１１とサーバ側削除手段２１４と画像データベースと送受信制御手段２１５を備える。
【００５２】
医用画像格納手段２１２は、ネットワークＮに直接又は間接的に接続する画像作成装置や古い画像管理サーバ２００から送信された医用画像を一時的に格納する。
【００５３】
医用画像登録手段２１１は、医用画像格納手段２１２に格納されている医用画像の記憶先を特定する画像格納位置情報を生成して送信制御手段を介して当該医用画像を送信し、また画像データベースに新たに当該医用画像のレコードを作成する。
【００５４】
画像データベース２１３は、画像記憶装置３００に記憶されている医用画像のレコードをデータベースとして記憶する。図９の（ａ）及び（ｂ）は、いずれも画像データベース２１３を示す図である。レコードナンバーが付された医用画像のレコードは、医用画像の登録日１１、検査日１２、最終アクセス日１３、患者ＩＤ１４、検査ＩＤ１５、シリーズＩＤ１６、医用画像ＩＤ１７、及び画像格納位置情報１８を対にしたデータ集合である。
【００５５】
例えば、レコードＮｏ．３は、登録日１１が「９１／０２／０１」、患者ＩＤ１４が「００２９２」、検査ＩＤ１５が「００２」、シリーズＩＤ１６が「００１」、医用画像ＩＤ１７が「００００２」の医用画像が画像格納位置情報１８として「アドレスＡＡＣ」に格納されていることを示している。
【００５６】
また、画像データベース２１３は、削除防止付与手段たるデータベース管理システムとして、レポート作成装置１００から画像プロテクト命令と画像リンク情報が送信されると、画像リンク情報を検索キーとして該当する医用画像全てに削除防止属性を付与して画像データベースを更新する。
【００５７】
例えば、図９の（ａ）では、「レコードＮｏ．３」の医用画像に削除防止属性１９が付与されている。レポート作成装置１００がレコードＮｏ．３に相当する医用画像の画像リンク情報をレポートに記述し、削除対象から除外する範囲が医用レポートにリンク付けされた医用画像単体を削除対象から除外する内容である場合は、画像プロテクト命令と患者ＩＤ「００２９２」、検査ＩＤ「００１」、シリーズＩＤ「００１」、医用画像ＩＤ「００００２」を含む画像リンク情報が送信される。画像データベース２１３では、この画像リンク情報に該当する「レコードＮｏ．３」の医用画像のみに削除防止属性１９が付与される。
【００５８】
また、例えば、図９の（ｂ）では、レコードナンバー２乃至４に削除防止属性１９が付与されている。レポート作成装置１００がレコードＮｏ．３に相当する医用画像の画像リンク情報をレポートに記述し、医用レポートにリンクされた医用画像が属するシリーズ全体を削除対象から除外する内容である場合は、画像プロテクト命令と患者ＩＤ「００２９２」、検査ＩＤ「００１」、シリーズＩＤ「００１」を含む画像リンク情報が送信される。画像データベース２１３では、この画像リンク情報に該当するレコードナンバー２乃至４の医用画像に削除防止属性１９が付与される。
【００５９】
画像リンク情報が医用レポートにリンクされた医用画像が属する検査全体を削除対象から除外する内容であった場合、及び医用レポートにリンクされた医用画像の撮影対象である患者に関する全ての医用画像を削除対象から除外する内容であった場合も、同様にレポートにリンクされた医用画像が属する検査属性や患者属性と同一の検査属性又は患者属性を有する全てのレコードに対して削除防止属性を付与する。
【００６０】
また、画像データベース２１３は、検索手段たるデータベース管理システムとして、サーバ側削除手段２１４が医用画像削除のために生成した検索キーにより画像データベースを検索して、該当する医用画像のレコードに記録されている画像格納位置情報を読み出して、サーバ側削除手段２１４に送出する。
【００６１】
尚、画像データベース２１３は、ＰＡＣＳとしての機能として、クライアント端末４００から医用画像を要求する検索キーが送信されると、画像データベースから検索キーに該当する医用画像を検索し、検索により該当した医用画像のレコードに記録されている画像格納位置情報を読み出して、送信制御手段を介してクライアント端末４００に送信する。
【００６２】
サーバ側削除手段２１４は、予め保持する削除処理開始タイミング及び削除条件に従い医用画像を画像記憶装置３００から削除する制御を行う。削除処理開始タイミングが到来すると処理を開始し、削除条件を検索キーとして画像データベース２１３に送出する。検索キーに該当する医用画像のレコードに記録されている画像格納位置情報が画像データベース２１３により読み出されると、この画像格納位置情報を取得し、画像削除命令を生成して画像格納位置情報を付加する。そして、画像削除命令と画像格納位置情報を送受信制御手段２１５を介して画像記憶装置３００に送信する。
【００６３】
図１０は、（ａ）（ｂ）いずれもサーバ側削除手段２１４により送受信制御手段２１５を介して送信される送信データのデータ構造を示す。図１０に示すように、送信データは、画像削除命令Ｇと、取得した画像格納位置情報Ｈで構成され、画像記憶装置３００に送信される。図１０の（ａ）（ｂ）で示す具体例については後述する。
【００６４】
削除処理開始タイミングは、マンマシンインターフェース部２５０を用いて装置操作者と対話することにより作成される。サーバ側削除手段２１４は、削除キューの登録設定画面をモニタに表示させ、装置操作者がキーボードやマウス等を用いて削除処理開始タイミングを時刻で設定する入力操作を行うことで、削除処理開始タイミングが設定される。
【００６５】
削除条件も同様にマンマシンインターフェース部２５０を用いて装置操作者と対話することにより作成される。サーバ側削除手段２１４は、削除キューの登録設定画面をモニタに表示させ、装置操作者がキーボードやマウス等を用いて削除条件を設定する入力操作を行うことで、削除条件が設定される。削除条件は、例えば、所定の患者ＩＤに対応する医用画像を削除する、検査日付若しくは登録日付又は最終アクセス日が所定の日付以前である医用画像を削除する等である。
【００６６】
図１１は、削除キューの登録設定画面を示す図である。この画面上では、曜日単位で削除処理の起動を設定し、開始及び終了時刻を設定する。例えば、図１１では、日曜日、水曜日、木曜日、土曜日の２０時００分から２３時００分までが削除処理の実行タイミングとなる。また、この画面上では、医用画像の検査、登録、最終アクセスのいずれの日付を削除条件として参照するか設定し、削除対象とする日付の古さの程度を設定する。また、削除する医用画像の患者属性を設定する。例えば、図１１では、登録日付が１０年前以前である医用画像と、患者ＩＤが「００２９２」である医用画像とを削除対象として設定している。
【００６７】
送受信制御手段２１５は、送受信部２４０を制御して、他の装置とのデータ通信を制御する。医用画像格納手段２１２に格納されている医用画像を医用画像取得手段２１１が生成した画像格納位置情報で特定される画像記憶装置３００へ送信させる制御を送受信部２４０に対して行う。
【００６８】
また、送受信制御手段２１５は、サーバ側削除手段２１４が生成した画像削除命令と取得した画像格納位置情報とを、画像格納位置情報に記述されている画像記憶装置３００へ送信させる制御を送受信部２４０に対して行う。
【００６９】
画像管理サーバ２００の削除防止属性を付与する手順について、図１２に基づき説明する。まず、レポート作成装置１００から画像プロテクト命令と画像リンク情報が送信されると（Ｓ２０１，Ｙｅｓ）、画像リンク情報を検索キーとして画像データベース２１３を検索する（Ｓ２０２）。
【００７０】
該当する医用画像が見つかると（Ｓ２０３，Ｙｅｓ）、該当した医用画像のレコード全てに対して削除防止属性を付与して画像データベース２１３を更新する（Ｓ２０４）。
【００７１】
画像データベース２１３が更新されると、医用レポートにリンクされた医用画像、又は医用レポートにリンクされた医用画像が属するシリーズ全て、検査名全て、医用レポートにリンクされた医用画像の撮影対象となった患者に関する医用画像全てが削除対象から除外されたことを通知するデータ通信をレポート作成装置１００に対して行い（Ｓ２０５）、一連の処理を終了する。
【００７２】
画像管理サーバ２００の医用画像削除手順について、図１３に基づき説明する。まず、削除処理開始タイミングが到来すると（Ｓ３０１，Ｙｅｓ）、削除条件に該当し、かつ削除防止属性が付与されていない医用画像を検索する検索キーを生成し、当該検索キーにより画像データベース２１３から該当する医用画像を検索する（Ｓ３０２）。
【００７３】
検索により該当する医用画像のレコードが見つかると（Ｓ３０３，Ｙｅｓ）、そのレコードに記録されている画像格納位置情報を読み出し（Ｓ３０４）、画像削除命令を生成する（Ｓ３０５）。
【００７４】
次に、読み出した画像格納位置情報に含まれている画像記憶装置３００を特定する情報に該当する画像記憶装置３００に、画像削除命令と画像格納位置情報を送信し（Ｓ３０６）、一連の処理を終了する。
【００７５】
画像削除命令と画像格納位置情報を受信した画像記憶装置３００では、画像削除命令に従って、画像格納位置情報に対応する格納位置に記憶されている医用画像を削除する。
【００７６】
このように、画像管理サーバ２００は、画像リンク情報がレポート作成装置１００から送信されると、画像リンク情報に該当する医用画像のレコードを画像データベース２１３から検索し、該当する医用画像に削除防止属性を付与して画像データベース２１３を更新する。
【００７７】
また、削除処理開始タイミングが到来すると、所定の日付より古い検査日や登録日や最終アクセス日を有し、かつ削除防止属性が付与されていない医用画像のレコード、又は所定の患者ＩＤを有し、かつ削除防止属性が立てられていない医用画像のレコードを検索することで、医用レポートにリンクされた医用画像を削除対象から除き、それ以外の医用画像で削除条件に合致した画像を削除対象とする。
【００７８】
画像管理システムの動作を説明する。図１４に示すように、画像管理システムでは、まず、レポート作成装置１００にて、例えば図３に示す医用レポートが作成される（Ｓ４０１）。医用レポート作成が終了し、作成した医用レポートが保存されると（Ｓ４０２）、医用レポートに記述された画像リンク情報を抽出する（Ｓ４０３）。
【００７９】
例えば、画像リンク情報として、図３に示す医用レポートから［医用画像ＩＤ：００００２］＆［シリーズＩＤ：００１］＆［検査ＩＤ：００２］＆［患者ＩＤ：００２９２］が含まれた画像リンク情報が抽出される（Ｓ４０４）。
【００８０】
さらに画像プロテクト命令を生成して、抽出した画像リンク情報とともに画像管理サーバ２００へ送信する（Ｓ４０５）。例えば、除外設定による除外対象が医用画像単体である場合には、図５の（ｂ）に示すように、画像プロテクト命令に［医用画像ＩＤ：００００２］＆［シリーズＩＤ：００１］＆［検査ＩＤ：００２］＆［患者ＩＤ：００２９２］を付加して画像管理サーバ２００へ送信する。また、例えば、除外設定による除外対象がシリーズ全体である場合には、図５の（ｃ）に示すように、画像プロテクト命令に抽出した［シリーズＩＤ：００１］＆［検査ＩＤ：００２］＆［患者ＩＤ：００２９２］を付加して画像管理サーバ２００へ送信する。
【００８１】
画像管理サーバ２００は、画像リンク情報が送信されると、画像リンク情報に該当する医用画像を画像データベースから検索し（Ｓ４０６）、該当する医用画像が見つかると（Ｓ４０７）、該当する医用画像のレコードに削除防止属性を付与して医用画像データベース２１３を更新する（Ｓ４０８）。例えば、図５の（ｂ）に示す画像リンク情報が送信された場合、図９の（ａ）に示すレコードＮｏ．３がこの画像リンク情報に該当して抽出され、この医用画像に削除防止属性が付与される。また、図５の（ｃ）に示す画像リンク情報が送信された場合は、図９の（ｂ）に示すレコードＮｏ．２乃至４がこの画像リンク情報に該当して抽出され、これら医用画像に削除防止属性が付与される。
【００８２】
次に、画像管理サーバ２００において、削除開始タイミングが到来すると（Ｓ４０９）、削除条件に該当し、かつ削除防止属性を付与されていない医用画像を画像データベースから検索し（Ｓ４１０）、該当するレコードを検出する（Ｓ４１１）。例えば、図９の（ａ）に示す画像データベース２１３において、２００５年２月１日に削除開始タイミングが到来し、１０年前の登録日を有する医用画像を削除する削除条件が設定されている場合、レコードＮｏ．１乃至５及び１０００乃至１００３が該当するが、レコードＮｏ．３には削除防止属性が付与されており、検出されるのは、レコードＮｏ．１、２，４，５及び１０００乃至１００３となる。また、図９の（ｂ）に示す画像データベースにおいて、［患者ＩＤ：００２９２］を有するレコードを削除する削除条件が設定されている場合、レコードＮｏ．１乃至５が該当するが、レコードＮｏ．２乃至４には削除防止属性が付与されており、検出されるのは、レコードＮｏ．１及び５となる。
【００８３】
検索により該当した医用画像が見つかると、該当する医用画像のレコードから画像格納位置情報を取得し、画像削除命令を生成して、取得した画像格納位置情報とともに画像記憶装置３００に送信する（Ｓ４１２）。ここで、図９の（ａ）においてレコードＮｏ．１、２，４，５及び１０００乃至１００３が検出された場合は、これら医用画像のレコードに記録されている画像格納位置情報である「アドレスＡＡＡ」、「アドレスＡＡＢ」、「アドレスＡＡＤ」、「アドレスＡＡＥ」、「アドレスＢＢＡ」、「アドレスＢＢＢ」、「アドレスＢＢＣ」、「アドレスＢＢＤ」が取得されて図１０の（ａ）に示す送信データとして画像記憶装置３００へ送信される。また、図９の（ｂ）においてレコードＮｏ．１及び５が検出された場合は、これら医用画像のレコードに記録されている画像格納位置情報である「アドレスＡＡＡ」、「アドレスＡＡＥ」が取得されて図１０の（ｂ）に示す送信データとして画像記憶装置３００へ送信される。
【００８４】
画像記録装置では、受信した画像格納位置情報に対応する格納位置に記憶された医用画像を削除して（Ｓ４１３）、一連の処理は終了する。
【００８５】
このように、画像管理システムでは、医用レポートを作成すると、医用レポートにリンクされた医用画像を削除対象から除外し、医用画像の削除処理時に、削除対象から除かれておらずかつ所定の削除条件を満たす医用画像を削除する。レポート作成装置１００では、医用レポートを作成すると、医用レポートにリンクされた医用画像を削除対象から除外するために画像管理サーバ２００に画像リンク情報を送信する。画像管理サーバ２００では、画像リンク情報に該当する医用画像に削除防止属性を付与し、削除対象を検索する際に削除防止属性を有する医用画像を除く。従って、医用レポートにリンクされた医用画像が削除されてしまうことを防止でき、医用レポート内の情報が欠落することなく、正確に医用レポートの内容を伝達することができる。
【００８６】
尚、レポート作成装置１００が医用レポートを作成するコンピュータと医用レポートを保管するサーバで構成される場合は、医用レポートを保管するサーバが画像リンク情報を検索して画像管理サーバ２００に送るようにすればよい。また、レポート作成装置１００が画像管理サーバ２００に医用レポートをまるごと送信するようにしてもよい。異様レポートをまるごと送信する場合は、レポート作成装置１００の画像リンク情報抽出手段１１２を画像管理サーバ２００が備えるようにし、送信された医用レポートから画像リンク情報を取得し、この画像リンク情報に基づいて画像データベース２１３に削除防止属性を付与する処理を行ってもよい。
【００８７】
レポート作成装置１００にも画像データベース２１３に含まれる画像データベース２１３を管理するシステムを備えるようにし、画像管理サーバ２００の画像データベース２１３を直接操作して削除対象の医用画像の抽出及び削除防止属性の付与を行ってもよく、この場合は、画像プロテクト命令と画像リンク情報を画像管理サーバ２００に送信しなくともよい。レポート作成装置１００が医用レポートを作成するコンピュータと医用レポートを保管するサーバで構成される場合は、医用レポートを保管するサーバにも削除防止属性を付与する画像データベース管理システムを備えるようにする。
【００８８】
（第２の実施形態）
本実施形態の画像管理サーバ２００では、削除防止属性の付与を行わず、画像記憶装置３００に削除防止命令を送信するものである。また、削除条件に基づく画像データベースの検索時に、削除防止属性が付与されているレコードを除く検索は行わない。
【００８９】
すなわち、画像データベースは、画像プロテクト命令と画像リンク情報が送信されると、画像リンク情報に対応するレコードに記録されている画像格納位置情報を抽出する。サーバ側削除手段２１４は、画像プロテクト命令が送信されると、削除防止命令を生成し、画像格納位置情報とともに送受信制御手段を介して画像記憶装置３００に送信する。
【００９０】
また、サーバ側削除手段２１４は、医用画像の削除処理時、削除防止属性を有する医用画像を除く検索依頼を画像データベースに対して行わず、設定された削除条件のみをもって画像格納位置情報を取得し、削除命令をともに画像格納位置情報を抽出する。
【００９１】
図１５は、画像管理サーバ２００の削除防止命令を送信するフローチャートである。図１５に示すように、まず、レポート作成装置１００から画像プロテクト命令とともに画像リンク情報が送信されると（Ｓ５０１，Ｙｅｓ）、画像リンク情報を検索キーとして画像データベースを検索する（Ｓ５０２）。該当する医用画像のレコードが検出されると（Ｓ５０３，Ｙｅｓ）、該当する医用画像のレコードに記録されている画像格納位置特定情報を取得する（Ｓ５０４）。画像格納位置特定情報を取得すると、削除防止命令を生成し（Ｓ５０５）、画像格納位置特定情報とともに、画像記憶装置３００に送信し（Ｓ５０６）、一連の処理を終了する。
【００９２】
画像管理サーバ２００の医用画像削除手順について、図１６に基づき説明する。まず、削除処理開始タイミングが到来すると（Ｓ６０１，Ｙｅｓ）、削除条件を検索キーとして該当する医用画像を画像データベースから検索する（Ｓ６０２）。該当する医用画像のレコードが見つかると（Ｓ６０３，Ｙｅｓ）、そのレコードに記録されている画像格納位置情報を読み出し（Ｓ６０４）、画像削除命令を生成する（Ｓ６０５）。次に、読み出した画像格納位置情報に含まれている画像記憶装置３００を特定する情報に該当する画像記憶装置３００に、画像削除命令とともに画像格納位置情報を送信し（Ｓ６０６）、一連の処理を終了する。
【００９３】
このように、本実施形態においては、画像管理サーバ２００は、画像記憶装置３００に対して医用画像の削除防止制御を行うとともに、削除処理から除外する対象となっている医用画像を認識せずに削除対象を抽出する。
【００９４】
画像記憶装置３００は、削除防止命令を受信すると、記憶している医用画像に削除防止情報を付帯させ、削除命令が画像管理サーバ２００から送信された場合、医用画像の付帯情報を参照し、削除防止情報が付帯していれば、その医用画像の削除は中止する。
【００９５】
図１７は、画像記憶装置３００の構成図である。画像記憶装置３００は、処理部３１０、送受信部３２０、外部記憶部３３０、主記憶部３４０を備えたコンピュータの構成を有する。外部記憶部３３０には、コンピュータをＮＡＳ（Ｎｅｔｗｏｒｋ  Ａｔｔａｃｈｅｄ  Ｓｔｏｒａｇｅ，ＮＡＳ）等の画像記憶装置３００として実現させるプログラムが記憶され、また医用画像記憶手段３３１として画像管理サーバ２００から送信されてきた医用画像が記憶される。
【００９６】
画像記憶装置３００は、処理部により外部記憶部に記憶されたプログラムに従った演算を行うことで、医用画像に削除防止情報を付帯させ、また医用画像の削除を行う装置として機能する。すなわち、削除防止情報付帯手段３１１と記憶装置側削除手段３１２を備える。
【００９７】
削除防止情報付帯手段３１１は、画像管理サーバ２００から削除防止命令と画像格納位置情報が送信されると、画像格納位置情報に対応する格納位置に記憶されている医用画像に削除防止情報を付帯させる。図１８に削除防止情報を付帯させた医用画像を示す。図１８では、医用画像２０の付帯情報部分２１に削除防止情報を付帯させる削除防止エリア２２を確保し、削除防止エリアに削除防止情報２３として例えば「１」を書き込む。
【００９８】
削除手段及び当該手段に含まれる検出手段たる記憶装置側削除手段３１２は、画像管理サーバ２００から削除命令と画像格納位置情報が送信されると、画像格納位置情報に対応する格納位置に記憶されている医用画像の付帯情報部分を読み込んで削除防止情報が付帯しているかどうかを検出し、削除防止情報が付帯していない医用画像のみ削除を行う。
【００９９】
図１９は、画像記憶装置３００の削除防止動作を示すフローチャートである。まず、画像管理サーバ２００より削除防止命令と画像格納位置情報が送信されると（Ｓ７０１，Ｙｅｓ）、画像格納位置情報に対応する格納位置に記憶されている医用画像の付帯情報に削除防止情報エリアを設定し（Ｓ７０２）、当該エリアに削除防止情報を付帯させて（Ｓ７０３）、一連の処理を終了する。
【０１００】
図２０は、画像記憶装置３００の削除動作を示すフローチャートである。まず、画像管理サーバ２００より削除命令と画像格納位置情報が送信されると（Ｓ８０１，Ｙｅｓ）、画像格納位置情報に対応する格納位置に記憶されている医用画像の付帯情報のうち、削除防止情報エリア部分を読み込み（Ｓ８０２）、削除防止情報が付帯しているかどうかを検出する（Ｓ８０３）。
【０１０１】
削除防止情報が付帯していなければ（Ｓ８０３，Ｎｏ）、画像格納位置情報に対応する格納位置に記憶されている医用画像を削除し（Ｓ８０４）、一連の処理を終了する。
【０１０２】
削除防止情報が付帯していれば（Ｓ８０３，Ｙｅｓ）、画像格納位置情報に対応する格納位置に記憶されている医用画像の削除を中止し（Ｓ８０５）、一連の処理を終了する。
【０１０３】
このように、画像管理システムでは、医用レポートを作成すると、医用レポートにリンクされた医用画像を削除対象から除外し、医用画像の削除処理時に、削除対象から除かれておらずかつ所定の削除条件を満たす医用画像を削除するようにした。レポート作成装置１００では、医用レポートを作成すると、医用レポートにリンクされた医用画像を削除対象から除外するために画像管理サーバ２００に画像リンク情報を送信する。画像管理サーバ２００では、画像データベースから画像リンク情報に該当する医用画像を削除対象から除外する命令を画像記憶装置３００に送信する。画像記憶装置３００では、削除防止命令とともに送信された画像格納位置情報に対応する格納位置に記憶されている医用画像に削除防止情報を付帯させるようにし、画像管理サーバ２００からの削除命令に対して、削除防止情報が付帯している医用画像の削除を中止するようにした。従って、医用レポートにリンクされた医用画像が削除されてしまうことを防止でき、医用レポート内の情報が欠落することなく、正確に医用レポート内容を医師同士で伝達することができる。
【０１０４】
尚、第１の実施形態と第２の実施形態を併用して２重の削除防止プロテクトを施しても良い。この場合は、第２の実施形態において、画像プロテクト命令に応じた削除防止属性の付与の処理を行うようにすればよい。
【符号の説明】
【０１０５】
１００  レポート作成装置
１１０  処理部
１１１  レポート作成手段
１１２  画像リンク情報抽出手段
１１３  送受信制御手段
１２０  外部記憶部
１３０  送受信部
１４０  主記憶部
１５０  入出力ＩＦ部
１６０  キーボード
１７０  マウス
１８０  参照情報モニタ
１９０  医用レポートモニタ
２００  画像管理サーバ
２１０  処理部
２１１  医用画像登録手段
２１２  医用画像格納手段
２１３  画像データベース
２１４  サーバ側削除手段
２１５  送受信制御手段
２２０  主記憶部
２３０  外部記憶部
２４０  送受信部
２５０  マンマシンインターフェース部
３００  画像記憶装置
３１０  処理部
３１１  削除防止情報付帯手段
３１２  記憶装置側削除手段
３２０  送受信部
３３０  外部記憶部
３３１  医用画像記憶手段
４００  クライアント端末
Ｎ      ネットワーク
【図１】
0005498543.tif 000002
【図２】
0005498543.tif 000003
【図３】
0005498543.tif 000004
【図４】
0005498543.tif 000005
【図５】
0005498543.tif 000006
【図６】
0005498543.tif 000007
【図７】
0005498543.tif 000008
【図８】
0005498543.tif 000009
【図９】
0005498543.tif 000010
【図１０】
0005498543.tif 000011
【図１１】
0005498543.tif 000012
【図１２】
0005498543.tif 000013
【図１３】
0005498543.tif 000014
【図１４】
0005498543.tif 000015
【図１５】
0005498543.tif 000016
【図１６】
0005498543.tif 000017
【図１７】
0005498543.tif 000018
【図１８】
0005498543.tif 000019
【図１９】
0005498543.tif 000020
【図２０】
0005498543.tif 000021